(57)【要約】【課題】一例として、コネクタにおいて、保持部材への端子の装着作業の簡易化を図る。【解決手段】実施形態の電子機器は、コネクタを備えた。前記コネクタは、第一面と前記第一面の反対側の第二面と前記第一面と前記第二面との間に亘って設けられた第三面とを有し、前記第一面と前記第二面との間に収容部が設けられた保持部材と、前記収容部に収容された端子と、を有した。前記収容部には、開口部が設けられた。前記端子は、一対の側面が設けられた本体部と、前記保持部材に対する前記端子の挿入方向での前記本体部の両端部間に設けられ、前記開口部から露出され前記一対の側面間に亘って設けられた接触面と、前記挿入方向での前記接触面の前方で前記側面に設けられた突部と、を有した。前記収容部には、前記突部と当たることで前記第一面側への前記端子の移動を規制する規制部が設けられた。【選択図】図９
2014135197.tif 000002
【特許請求の範囲】
【請求項１】
筐体と、
前記筐体に収容された回路基板と、
第一面と前記第一面の反対側の第二面と前記第一面と前記第二面との間に亘って設けられた第三面とを有し、前記第一面と前記第二面との間に収容部が設けられた絶縁性の保持部材と、前記収容部に収容され前記回路基板に電気的に接続された端子と、を有したコネクタと、
を備え、
前記収容部には、前記第三面に設けられ前記端子が挿入された挿入口と、前記第一面に設けられ前記保持部材に対する前記端子の挿入方向で前記挿入口の前方に位置された開口部と、が設けられ、
前記端子は、一対の側面が設けられた本体部と、前記挿入方向での前記本体部の両端部間に設けられ、前記開口部から露出され前記一対の側面間に亘って設けられた接触面と、前記挿入方向での前記接触面の前方で前記側面に設けられた突部と、を有し、
前記収容部には、前記突部と当たることで前記第一面側への前記端子の移動を規制する規制部が設けられた電子機器。
【請求項２】
前記本体部は、
前記挿入方向での当該本体部の前側の端部を含む第一部分と、
前記挿入方向と直交する方向であって前記第一面および前記第二面と交差する方向で前記第一部分の前記第一面側に位置され、前記接触面を含む第二部分と、
前記第一部分と前記第二部分とを接続した第三部分と、
を有し、
前記突部は、前記第一部分に設けられた請求項１に記載の電子機器。
【請求項３】
前記第二部分には、前記収容部に圧入された圧入部が設けられた請求項２に記載の電子機器。
【請求項４】
前記突部は、挿入方向での前記本体部の前側の端部に設けられた請求項１ないし３のいずれか一項に記載の電子機器。
【請求項５】
前記規制部は、前記開口部の前記第二面側に位置された請求項１ないし４のいずれか一項に記載の電子機器。
【請求項６】
前記収容部には、前記突部と当たることで前記挿入方向とは逆方向への前記端子の移動を規制する抜止部が設けられた請求項１ないし５のいずれか一項に記載の電子機器。
【請求項７】
前記突部は、前記一対の側面のそれぞれに設けられた請求項１ないし６のいずれか一項に記載の電子機器。
【請求項８】
二つの前記突部は、やじり状に設けられた請求項７に記載の電子機器。
【請求項９】
前記突部は、湾曲状に設けられた請求項１ないし６のいずれか一項に記載の電子機器。
【請求項１０】
第一面と前記第一面の反対側の第二面と前記第一面と前記第二面との間に亘って設けられた第三面とを有し、前記第一面と前記第二面との間に収容部が設けられた絶縁性の保持部材と、
前記収容部に収容された端子と、
を備え、
前記収容部には、前記第三面に設けられ前記端子が挿入された挿入口と、前記第一面に設けられ前記保持部材に対する前記端子の挿入方向で前記挿入口の前方に位置された開口部と、が設けられ、
前記端子は、一対の側面が設けられた本体部と、前記保持部材に対する前記端子の挿入方向での前記本体部の両端部間に設けられ、前記開口部から露出され前記一対の側面間に亘って設けられた接触面と、前記挿入方向での前記接触面の前方で前記側面に設けられた突部と、を有し、
前記収容部には、前記突部と当たることで前記第一面側への前記端子の移動を規制する規制部が設けられたコネクタ。
【請求項１１】
絶縁性の保持部材と、
前記絶縁性の保持部材に挿入されて前記保持部材に保持された端子と、
を備え、
前記保持部材に対する前記端子の挿入方向での前記端子の先端部には、突部が設けられ、
前記保持部材には、前記突部が挿入され前記突部を前記挿入方向へ案内する凹部が設けられたコネクタ。
【発明の詳細な説明】
【技術分野】
【０００１】
本発明の実施形態は、電子機器およびコネクタに関する。
【背景技術】
【０００２】
従来、絶縁性の保持部材と、この保持部材に挿入されて保持部材に保持された端子と、を備え、電子機器の回路基板に実装されるコネクタが知られている。
【先行技術文献】
【特許文献】
【０００３】
【特許文献１】実開平７−１９９８９号公報
【発明の概要】
【発明が解決しようとする課題】
【０００４】
この種のコネクタでは、保持部材への端子の装着作業の簡易化が望まれている。
【０００５】
そこで、本発明の実施形態は、一例として、コネクタにおいて、保持部材への端子の装着作業の簡易化を図ることを、目的の一つとする。
【課題を解決するための手段】
【０００６】
実施形態の電子機器は、筐体と、回路基板と、コネクタと、を備えた。前記回路基板は、前記筐体に収容された。前記コネクタは、第一面と前記第一面の反対側の第二面と前記第一面と前記第二面との間に亘って設けられた第三面とを有し、前記第一面と前記第二面との間に収容部が設けられた絶縁性の保持部材と、前記収容部に収容され前記回路基板に電気的に接続された端子と、を有した。前記収容部には、前記第三面に設けられ前記端子が挿入された挿入口と、前記第一面に設けられ前記保持部材に対する前記端子の挿入方向で前記挿入口の前方に位置された開口部と、が設けられ、前記端子は、一対の側面が設けられた本体部と、前記挿入方向での前記本体部の両端部間に設けられ、前記開口部から露出され前記一対の側面間に亘って設けられた接触面と、前記挿入方向での前記接触面の前方で前記側面に設けられた突部と、を有し、前記収容部には、前記突部と当たることで前記第一面側への前記端子の移動を規制する規制部が設けられた。
【図面の簡単な説明】
【０００７】
【図１】図１は、実施形態にかかる電子機器の一例の展開状態での斜視図である。
【図２】図２は、実施形態にかかる電子機器の一例の折り畳み状態での平面図である。
【図３】図３は、実施形態にかかる電子機器の一例の折り畳み状態での背面図である。
【図４】図４は、実施形態にかかるコネクタの一例を示す平面図である。
【図５】図５は、実施形態にかかるコネクタの一例を示す分解平面図である。
【図６】図６は、実施形態にかかるコネクタの端子部材の一例を示す側面図である。
【図７】図７は、実施形態にかかるコネクタの端子部材の一例を示す平面図である。
【図８】図８は、実施形態にかかるコネクタの保持部材の一例を示す背面図である。
【図９】図９は、実施形態にかかるコネクタの一例を示す分解断面図である。
【図１０】図１０は、実施形態にかかるコネクタの保持部材の一例を示す平面断面図である。
【図１１】図１１は、実施形態にかかるコネクタの一部の一例を示す平面断面図である。
【図１２−１】図１２−１は、実施形態にかかるコネクタの製造工程の一例を示す平面図である。
【図１２−２】図１２−２は、実施形態にかかるコネクタの製造工程の一例を示す平面図である。
【図１２−３】図１２−３は、実施形態にかかるコネクタの製造工程の一例を示す平面断面図である。
【図１３】図１３は、実施形態の第１変形例にかかるコネクタの一部の一例を示す平面図である。
【図１４】図１４は、実施形態の第２変形例にかかるコネクタの一部の一例を示す平面図である。
【図１５】図１５は、実施形態の第３変形例にかかるコネクタの一部の一例を示す平面図である。
【図１６】図１６は、実施形態の第４変形例にかかるコネクタの一部の一例を示す平面図である。
【発明を実施するための形態】
【０００８】
以下の例示的な複数の実施形態および変形例には、同様の構成要素が含まれている。よって、以下では、同様の構成要素には共通の符号が付されるとともに、重複する説明が省略される。
【０００９】
また、以下の実施形態では、電子機器が所謂ノートブック型のパーソナルコンピュータとして構成された場合が例示されるが、実施形態にかかる電子機器は、これには限定されない。実施形態にかかる電子機器は、例えば、コネクタを有した電子機器、例えば、テレビジョン受像機、タブレット型端末、スマートテレビ、携帯電話機、映像表示装置、テレビ電話機等として構成することができる。
【００１０】
＜実施形態＞
本実施形態では、一例として、図１に示されるように、電子機器１は、第一筐体３（筐体）と第二筐体２（筐体）とを備える。具体的に、第一筐体３（第一部分）は、表示装置４の少なくとも一部を収容する。第二筐体２は、回路基板６を収容する。第二筐体２には、キーボード７（入力操作部、第一入力操作部、入力受付部、入力部）や、ポインティングデバイス８ａ（入力操作部、第二入力操作部、入力受付部、入力部）、クリックボタン８ｂ（入力操作部、第三入力操作部、入力受付部、入力部）等が設けられる。
【００１１】
第一筐体３と第二筐体２とは、ヒンジ部（接続部、連結部、回動支持部、ヒンジ機構、接続機構、連結機構、回動支持機構）によって回動可能に接続されている。第一筐体３および第二筐体２は、ヒンジ部により、少なくとも図１に示される展開状態と、図２に示される折り畳み状態との間で回動可能に接続されている。本実施形態では、一例として、ヒンジ部は、第一筐体３と第二筐体２とを、回動軸Ａｘ回りに回動可能に、接続している。表示装置４の表示画面４ａは、第一筐体３の面３ａ（前面、正面、第一面、第一面部）に設けられた開口部３ｒから露出している。また、キーボード７や、ポインティングデバイス８ａ、クリックボタン８ｂ等は、第二筐体２の面２ａ（上面、正面、第一面、第一面部）に露出している。折り畳み状態では、第一筐体３の面３ａと第二筐体２の面２ａとが重なり、表示画面４ａや、キーボード７、ポインティングデバイス８ａ、クリックボタン８ｂ等が、第一筐体３および第二筐体２に隠される。展開状態では、第一筐体３の面３ａおよび第二筐体２の面２ａが露出し、表示画面４ａや、キーボード７、ポインティングデバイス８ａ、クリックボタン８ｂ等が使用可能（視認可能あるいは操作可能）になる。
【００１２】
第一筐体３は、本実施形態では、一例として、図１，２に示されるように、正面視および背面視では矩形状（本実施形態では、一例として長方形状）に構成されている。また、第一筐体３は、本実施形態では、一例として、図３に示されるように、前後方向に薄い扁平な直方体状に構成されている。第一筐体３は、面３ａ（前面、正面、第一面、第一面部）とこの反対側の面３ｂ（後面、背面、第二面、第二面部）と、を有する。面３ａと面３ｂとは略平行になっている。また、第一筐体３は、図１に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００１３】
また、第一筐体３は、面３ａを有する壁部３ｋ（プレート、フレーム、前壁部、表壁部、天壁部）と、面３ｂを有する壁部３ｍ（プレート、後壁部、裏壁部、底壁部）と、を有する。壁部３ｋ，３ｍは、矩形状（本実施形態では、一例として長方形状）である。また、第一筐体３は、壁部３ｋと壁部３ｍとの間に亘った面３ｐ（側面、周面、第三面）を有する四つの壁部３ｎ（プレート、側壁部、端壁部、立壁部、亘部）を有する。なお、壁部３ｋには、一例としては矩形状の開口部３ｒが設けられている。よって、壁部３ｋは、矩形状かつ枠状である。
【００１４】
さらに、第一筐体３は、複数の部品（分割体）が組み合わせられて構成されることができる。第一筐体３は、本実施形態では、一例として、少なくとも壁部３ｋを含む第一筐体部材３１（第一部分、前側部材、マスク、マスク部、カバー、フロントカバー、カバー部、第一領域）と、少なくとも壁部３ｍを含む第二筐体部材３２（第二部分、後側部材、ベース、ベース部、ボトム、ボトム部、カバー、リヤカバー、カバー部、第二領域）とを有する。壁部３ｎは、第一筐体部材３１および第二筐体部材３２のうち少なくともいずれか一方（例えば、第二筐体部材３２）に含まれる。また、第一筐体３は、第一筐体部材３１および第二筐体部材３２とは別に、これらの間に位置した第三筐体部材（中間部材、隔部材、障壁部材、壁部材、介在部材、インナプレート、ミドルプレート、ミドルフレーム、第三領域、図示されず）や、第四筐体部材（中間部材、隔部材、障壁部材、壁部材、介在部材、覆部材、シールド、第四領域、図示されず）等を有することができる。
【００１５】
第一筐体３は、金属材料や、合成樹脂材料等で構成されることができる。第一筐体部材３１および第二筐体部材３２は、比較的剛性の低い材料（第三筐体部材や第四筐体部材より剛性の低い材料、例えば合成樹脂材料等）で構成されることができる。なお、第一筐体部材３１や第二筐体部材３２の第一筐体３内側には、リブ等の壁部（突出部、突出壁部、図示されず）が設けられることができる。壁部により、第一筐体３の剛性が高くなりやすい。
【００１６】
また、本実施形態では、一例として、図１に示されるように、第一筐体３の面３ａには、カメラモジュール１０（カメラ、撮像装置）を設けることができる。カメラモジュール１０等は、第一筐体３の壁部３ｋに設けられた開口部３ｓを介して露出している。なお、第一筐体３の面３ｐに、コネクタや操作部を設けることができる。
【００１７】
また、本実施形態では、一例として、図１に示されるように、表示装置４（表示部、ディスプレイ、パネル）の、面３ａ側に位置した表示画面４ａは、開口部３ｒを介して第一筐体３の前方（外方）に露出しており、使用者は、前方側から開口部３ｒを介して表示画面４ａを視認することができる。表示装置４は、正面視では矩形状（本実施形態では一例として長方形状）に構成されている。また、表示装置４は、前後方向に薄い扁平な直方体状に構成されている。表示装置４は、例えば、液晶ディスプレイ（ＬＣＤ，Liquid  Crystal  Display）や有機ＥＬディスプレイ（ＯＥＬＤ，Organic  Electro-Luminescent  Display）等である。
【００１８】
また、本実施形態では、一例として、表示装置４の前側（表側、壁部３ｋ側）には、入力操作パネル５（一例としてはタッチパネル、タッチセンサ、操作面）が設けられている。入力操作パネル５は、透明な比較的薄い矩形状に構成され、表示画面４ａを覆っている。操作者（ユーザ等）は、例えば、手指や部品（例えばスタイラス等、図示されず）等で入力操作パネル５に対して、触れる、押す、擦る、あるいは手指やスタイラス等を入力操作パネル５の近傍で動かす等の操作を行うことで、入力処理を実行することができる。また、表示装置４の表示画面４ａから出た光は、入力操作パネル５を通過して壁部３ｋの開口部３ｒから第一筐体３の前方（外方）へ出る。入力操作パネル５は、入力部の一例である。
【００１９】
第二筐体２は、本実施形態では、一例として、図１，２に示されるように、正面視および背面視では矩形状（本実施形態では、一例として長方形状）に構成されている。また、第二筐体２は、本実施形態では、一例として、図３に示されるように、前後方向に薄い扁平な直方体状に構成されている。第二筐体２は、面２ａ（上面、正面、第一面、第一面部）とこの反対側の面２ｂ（下面、背面、第二面、第二面部）と、を有する。面２ａと面２ｂとは略平行になっている。また、第二筐体２は、図１に示されるように、正面視では、四つの端部２ｃ〜２ｆ（辺部、縁部）と、四つの角部２ｇ〜２ｊ（尖部、曲部、端部）と、を有する。端部２ｃ，２ｅは、長辺部の一例である。また、端部２ｄ，２ｆは、短辺部の一例である。
【００２０】
また、第二筐体２は、面２ａを有する壁部２ｋ（プレート、フレーム、前壁部、表壁部、天壁部）と、面２ｂを有する壁部２ｍ（プレート、後壁部、裏壁部、底壁部、図３参照）と、を有する。壁部２ｋ，２ｍは、矩形状（本実施形態では、一例として長方形状）である。また、第二筐体２は、壁部２ｋと壁部２ｍとの間に亘った面２ｐ（側面、周面、第三面）を有する四つの壁部２ｎ（第三部分、プレート、側壁部、端壁部、立壁部、亘部）を有する。なお、壁部２ｋには、一例としては矩形状の開口部２ｒが設けられている。よって、壁部２ｋは、矩形状かつ枠状である。
【００２１】
さらに、第二筐体２は、複数の部品（分割体）が組み合わせられて構成されることができる。第二筐体２は、本実施形態では、一例として、少なくとも壁部２ｋを含む第一筐体部材２１（第一部分、前側部材、マスク、マスク部、カバー、フロントカバー、カバー部、第一領域、図１参照）と、少なくとも壁部２ｍを含む第二筐体部材２２（後側部材、ベース、ベース部、ボトム、ボトム部、カバー、リヤカバー、カバー部、第二領域、図３参照）とを有する。壁部２ｎは、第一筐体部材２１および第二筐体部材２２のうち少なくともいずれか一方（例えば、第二筐体部材２２）に含まれる。また、第二筐体２は、第一筐体部材２１および第二筐体部材２２とは別に、これらの間に位置した第三筐体部材（中間部材、隔部材、障壁部材、壁部材、介在部材、インナプレート、ミドルプレート、ミドルフレーム、第三領域、図示されず）や、第四筐体部材（中間部材、隔部材、障壁部材、壁部材、介在部材、覆部材、シールド、第四領域、図示されず）等を有することができる。
【００２２】
第二筐体２は、金属材料や、合成樹脂材料等で構成されることができる。第一筐体部材２１および第二筐体部材２２は、比較的剛性の低い材料（第三筐体部材や第四筐体部材より剛性の低い材料、例えば合成樹脂材料等）で構成されることができる。なお、第一筐体部材２１や第二筐体部材２２の第二筐体２内側には、リブ等の壁部（突出部、突出壁部、図示されず）を設けることができる。壁部により、第二筐体２の剛性が高くなりやすい。
【００２３】
第二筐体２の壁部２ｍには、第二筐体２を支持した支持部２０（脚部、脚、ゴム部材）が設けられている。支持部２０は、一例として、四つの角部２ｇ〜２ｊのそれぞれに設けられている。支持部２０は、面２ｂから突出している。支持部２０は、一例として、ゴム等の弾性部材によって構成されている。支持部２０は、外部載置面に載置される。支持部２０は、外部載置面に載置された状態で、第二筐体２を支持する。
【００２４】
また、本実施形態では、一例として、図１に示されるように、キーボード７の操作面７ａ（面、上面）は、開口部２ｒを介して第二筐体２の前方（外方）に露出している。面２ａにおいて、キーボード７は、端部２ｅ側に寄せて位置され、ポインティングデバイス８ａならびにクリックボタン８ｂは端部２ｅとは反対側の端部２ｃ側に寄せて配置されている。端部２ｅは奥行方向（前後方向）の奥側に位置され、端部２ｃは手前側に位置されている。
【００２５】
そして、本実施形態では、一例として、図１に示されるように、第二筐体２内には、キーボード７の後側（裏側、背後側、壁部２ｍ側、操作面７ａとは反対側）に、一つ以上の回路基板６（回路基板、制御基板、メイン基板、電気部品、第一電気部品）が収容されている。回路基板６は、キーボード７と略平行に設けられている。回路基板６は、壁部２ｋ，２ｍ，２ｎ等と離間した状態で、すなわち、壁部２ｋ，２ｍ，２ｎ等との間に空間（隙間）が形成された状態で、設けられている。
【００２６】
また、本実施形態では、一例として、回路基板６には、例えば、ＣＰＵ（Central  Processing  Unit）や、グラフィックコントローラ、電源回路部品、ＰＣＨ（Platform  Controller  Hub）、メモリスロットコネクタ、ＬＣＤコネクタ、Ｉ／Ｏ（Input/Output）コネクタ、電源コイル、素子、コネクタ等の複数の部品（図示されず）を実装することができる。この回路基板６には、コネクタ１１が実装されている。また、制御回路は、例えば、映像信号処理回路や、チューナ部、ＨＤＭＩ（High-Definition  Multimedia  Interface）信号処理部、ＡＶ（Audio  Video）入力端子、リモコン信号受信部、制御部、セレクタ、オンスクリーンディスプレイインタフェース、記憶部（例えば、ＲＯＭ（Read  Only  Memory）、ＲＡＭ（Random  Access  Memory）、ＨＤＤ（Hard  Disk  Drive）、ＳＳＤ（Solid  State  Drive）等）、音声信号処理回路等を、含むことができる。制御回路は、表示装置４の表示画面４ａでの映像（動画や静止画等）の出力や、スピーカ（図示されず）での音声の出力、ＬＥＤ（Light  Emitting  Diode、図示されず）での発光等を制御する。表示装置４や、スピーカ、ＬＥＤ等は、出力部の一例である。
【００２７】
また、本実施形態では、一例として、図１，２に示されるように、第二筐体２の端部２ｅの長手方向両端部に、面２ａから厚さ方向に突出した突出部２ｕ（ヒンジキャップ）が設けられている。そして、本実施形態では、一例として、図２に示されるように、この突出部２ｕに、ヒンジ部の一部（第二筐体２側の部分）が収容されている。
【００２８】
また、本実施形態では、図３に示されるように、コネクタ１１が設けられている。コネクタ１１は、他のコネクタ１４とともに、第二筐体２の端部２ｅに設けられている。コネクタ１１は、例えばＵＳＢコネクタや、ＨＤＭＩコネクタ等の各種のコネクタとして構成されうる。
【００２９】
図４，５に示されるように、コネクタ１１は、絶縁性の保持部材１５と、導電性の端子１６と、シェル（図示されず）と、を有している。一例として、保持部材１５は、絶縁性の合成樹脂材料によって構成され、端子１６は、導電性の金属材料によって構成される。端子１６は、保持部材１５に設けられた収容部１５ｈ（嵌合部、保持部）に挿入されて保持部材１５に保持されている。端子１６は、一例として、複数設けられている。複数の端子１６は、一例として、並列に設けられている。保持部材１５および端子１６は、シェルに覆われている。本実施形態では、保持部材１５に対する端子１６の挿入方向Ａ（以後、単に挿入方向Ａともいう）と、端子１６の並列方向Ｂ（以後、単に並列方向Ｂともいう）とは、略直交している。
【００３０】
端子１６は、収容部１５ｈに収容され、回路基板６に電気的に接続されている。端子１６は、図６，７に示されるように、本体部１６ａと、突部１６ｂと、圧入部１６ｃと、を有している。
【００３１】
本体部１６ａは、複数の屈曲部が設けられた棒状に形成されている。本体部１６ａは、一対の側面１６ｄを有している。一対の側面１６ｄは、並列方向で相互に反対側の面である。また、本体部１６ａは、接触面１６ｅを有している。接触面１６ｅは、挿入方向Ａでの本体部１６ａの両端部１６ｆ，１６ｇ間に設けられている。接触面１６ｅは、収容部１５ｈの開口部１５ｊから露出されている。接触面１６ｅは、一対の側面１６ｄ間に亘って設けられている。
【００３２】
また、本体部１６ａは、第一部分１６ｈと、第二部分１６ｉ（接触部）と、第三部分１６ｊと、第四部分１６ｋと、第五部分１６ｍ（接続部）と、を有している。第一部分１６ｈは、挿入方向Ａでの本体部１６ａの前側の端部１６ｆ（前端部）を含んでいる。第一部分１６ｈは、挿入方向Ａに沿って延在している。また、第二部分１６ｉは、挿入方向Ａと直交する方向であって面１５ａおよび面１５ｂと交差する方向（以後、高さ方向Ｃという）で、第一部分１６ｈにおける、保持部材１５の後述する面１５ａ側に位置されている。第二部分１６ｉは、接触面１６ｅを含んでいる。第二部分１６ｉは、挿入方向Ａに沿って延在しており、第一部分１６ｈと平行となっている。第三部分１６ｊは、第一部分１６ｈと第二部分１６ｉとを接続している。第三部分１６ｊは、挿入方向Ａに対して傾斜している。第四部分１６ｋは、挿入方向Ａでの第二部分１６ｉの後側の端部（後端部）から、保持部材１５の後述する面１５ｂ側且つ挿入方向Ａと逆方向へ延出している。第五部分１６ｍは、挿入方向Ａでの第四部分１６ｋの後ろ側の端部から、挿入方向Ａと逆方向へ延在している。第五部分１６ｍは、高さ方向Ｃで第一部分１６ｈの第二部分１６ｉとは反対側に位置されている。第五部分１６ｍは、回路基板６に例えば半田などによって接続されている。
【００３３】
突部１６ｂは、挿入方向Ａでの接触面１６ｅの前方で側面１６ｄに設けられている。突部１６ｂは、一対の側面１６ｄのそれぞれに設けられている。突部１６ｂは、第一部分１６ｈに設けられている。突部１６ｂは、挿入方向Ａでの本体部１６ａの前側の端部１６ｆ（前端部、先端部）に設けられている。二つの突部１６ｂは、やじり状に設けられている。
【００３４】
圧入部１６ｃは、第二部分１６ｉに設けられている。圧入部１６ｃは、一対の突部１６ｎを有している。突部１６ｎは、一対の側面１６ｄのそれぞれに設けられている。突部１６ｎは、挿入方向Ａで突部１６ｂの後方に位置されている。圧入部１６ｃは、収容部５１ｈの後述する基部５１ｆに位置した部分に圧入されている。
【００３５】
保持部材１５は、図４，５，８，９に示されるように、面１５ａ（第一面、天面、上面）と、面１５ａと反対側の面１５ｂ（第二面、底面、下面）と、面１５ａ，１５ｂの間に亘って設けられた亘面１５ｃ（面、第三面、亘面、周面）と、を有している。亘面１５ｃは、後面１５ｄ（面、背面）と、後面の反対側の前面１５ｅ（面、正面）と、を有している。保持部材１５は、例えば、射出成形等によって成形されうる。
【００３６】
また、保持部材１５は、基部１５ｆと、挿入部１５ｇと、を有している。挿入部１５ｇは、保持部材１５に対する端子１６の挿入方向Ａに沿って基部１５ｆから延出している。挿入部１５ｇは、外部コネクタ（他のコネクタ）に挿入（嵌合）される。
【００３７】
基部１５ｆは、面１５ｆ１と、面１５ｆ１と反対側の面１５ｆ２と、面１５ｆ１，１５ｆ２の間に亘って設けられた亘面１５ｆ３と、を有している。面１５ｆ１は、面１５ａに含まれ、面１５ｆ２は、面１５ｂに含まれている。また、亘面１５ｆ３は、後面１５ｄを含む。また、挿入部１５ｇは、面１５ｇ１と、面１５ｇ１と反対側の面１５ｇ２と、面１５ｇ１，１５ｇ２の間に亘って設けられた亘面１５ｇ３と、を有している。面１５ｇ１は、面１５ａに含まれ、面１５ｇ２は、面１５ｂに含まれている。また、亘面１５ｇ３は、前面１５ｅを含んでいる。
【００３８】
また、保持部材１５には、端子１６を収容した収容部１５ｈが設けられている。収容部１５ｈは、各端子１６に対応して複数設けられている。収容部１５ｈは、基部１５ｆと挿入部１５ｇとに亘って設けられている。収容部１５ｈには、挿入口１５ｉと、開口部１５ｊと、が設けられている。挿入口１５ｉは、亘面１５ｃの後面１５ｄに設けられている。挿入口１５ｉには、端子１６が挿入されている。開口部１５ｊは、面１５ａに設けられている。詳細には、開口部１５ｊは、挿入部１５ｇの面１５ｇ１に設けられている。開口部１５ｊは、挿入方向Ａで挿入口１５ｉの前方に位置されている。開口部１５ｊは、一例として、挿入方向Ａに沿って細長く形成されている。
【００３９】
また、収容部１５ｈは、面１５ｋ（底面、基面、内面）と、面１５ｋと反対側の面１５ｍ（天面、内面）、と、面１５ｋ，１５ｍを接続した一対の側面１５ｎ（面、内面）と、を有している。面１５ｋ，１５ｍおよび側面１５ｎは、挿入方向Ａに沿って延在している。面１５ｍには、開口部１５ｊが設けられている。また、本実施形態では、一例として、挿入方向Ａでの収容部１５ｈの前壁の一部を構成する面１５ｅは、閉塞されている。
【００４０】
また、収容部１５ｈには、規制部１５ｐが設けられている。規制部１５ｐは、開口部１５ｊの第二面１５ｂ側に位置されている。規制部１５ｐは、一対の側面１５ｎのそれぞれに設けられた突部１５ｑを有している。突部１５ｑは、側面１５ｎの基面１５ｎ１（一般面）に対して収容部１５ｈの内方（並列方向）に向けて突出している。一対の突部１５ｑは、相互に近づく方向に突出している。一対の突部１５ｑ間には隙間が設けられている。突部１５ｑは、挿入方向Ａに沿って延在している。一例として、突部１５ｑは、基部１５ｆと挿入部１５ｇとに亘って設けられている。本実施形態では、突部１５ｑは、挿入方向Ａで収容部１５ｈの略全域に延在している。側面１５ｎには、突部１５ｑによって、並列方向（側方）に向けて凹んだ凹部１５ｒが形成されている。凹部１５ｒは、突部１５ｑと底面１５ｋとの間に設けられている。本実施形態では、突部１５ｑと底面１５ｋとの間、即ち凹部１５ｒ内に、端子１６の突部１６ｂが挿入される。規制部１５ｐは、突部１５ｑが端子１６の突部１６ｂと当たることで面１５ａ側への端子１６の移動を規制する。別の言い方をすると、突部１５ｑ（凹部１５ｒ）は、挿入された突部１６ｂを挿入方向Ａへ案内（誘導）する。
【００４１】
また、収容部１５ｈには、図９，１１に示されるように、抜止部１５ｓが設けられている。抜止部１５ｓは、側面１５ｎのそれぞれに設けられた突部１５ｔを有している。一対の突部１５ｔ間には、隙間が設けられている。抜止部１５ｓは、一例として、端子１６の突部１５ｔが押し込まれることにより、弾性変形して突部１５ｔの通過を許容する。抜止部１５ｓは、突部１５ｔが端子１６の突部１６ｂと当たることで挿入方向Ａとは逆方向への端子１６の移動を規制する。つまり、抜止部１５ｓは、端子１６の抜け止めを行う。また、抜止部１５ｓには、押し込まれる突部１５ｔと当たる傾斜面１５ｔ１が設けられている。傾斜面１５ｔ１は、挿入方向Ａの後端部から前端部へ向かうにつれ収容部１５ｈの内方に位置するように傾斜している。なお、図１１では、抜止部１５ｓと突部１５ｔとが離間した例が示されているが、抜止部１５ｓと突部１５ｔとは、接触していてもよい。
【００４２】
以上の構成のコネクタ１１の製造の際には、図１２−１〜図１２−３に示されるように、端子１６が保持部材１５の収容部１５ｈに挿入される。この際、複数の端子１６は、相互に結合されて一体化されており、保持部材１５への端子１６の挿入後に、相互に分離される。保持部材１５への端子１６の挿入の際、規制部１５ｐの突部１５ｑが端子１６の突部１６ｂと当たることで、突部１５ｑが、面１５ａ側への端子１６の移動を規制する。つまり、突部１５ｑ（凹部１５ｒ）が、突部１６ｂを挿入方向Ａへ案内する。また、収容部１５ｈの面１５ｋが突部１６ｂと当たることで、面１５ｋが、面１５ｂ側への端子１６の移動を規制する。これにより、端子１６が高さ方向Ｃに移動するのが抑制される。また、端子１６の突部１５ｑは、抜止部１５ｓの一対の突部１５ｔ間に押し込まれることで、一対の突部１５ｔを通過する。これにより、抜止部１５ｓによる端子１６の抜け止めが可能となる。また、この際、端子１６の圧入部１６ｃが収容部１５ｈの一対の側面１５ｎ間に圧入される。これにより、端子１６が収容部１５ｈに保持される。なお、端子１６の突部１６ｂが、収容部１５ｈの一対の側面１５ｎ間に圧入されてもよい。また、圧入部１６ｃに対する圧入部用抜止部（抜止部）を収容部１５ｈに設けた場合、圧入部用抜止部に圧入部１６ｃに係合した後に、端子１６の突部１５ｑが抜止部１５ｓを通過するようにしてもよい。
【００４３】
以上説明したとおり、本実施形態では、端子１６が突部１６ｂを有し、収容部１５ｈには、規制部１５ｐが設けられている。したがって、一例として、コネクタ１１の製造時に、端子１６が保持部材１５の収容部１５ｈに挿入されると、規制部１５ｐの突部１５ｑが端子１６の突部１６ｂと当たることで、突部１５ｑが面１５ａ側への端子１６の移動を規制する。よって、本実施形態によれば、一例として、保持部材１５への端子１６の装着作業の際に、端子１６が座屈したり折れ曲がったりすることを抑制することができる。したがって、本実施形態によれば、保持部材１５への端子１６の装着作業の簡易化を図ることができる。
【００４４】
また、本実施形態では、突部１６ｂが第一部分１６ｈ（端部１６ｆ）に設けられている。したがって、本実施形態によれば、一例として、保持部材１５への端子１６の装着作業の際に、端子１６が座屈したり折れ曲がったりすることをより抑制することができる。
【００４５】
また、本実施形態では、収容部１５ｈには、抜止部１５ｓが設けられている。したがって、本実施形態によれば、抜止部１５ｓによって収容部１５ｈからの端子１６の抜け止めがなされる。
【００４６】
＜第１変形例＞
図１３に示されるように、本実施形態の第１変形例では、コネクタ１１の端子１６の一対の突部１６ｂと端子１６の先端面１６ｐとがやじり状を呈している。
【００４７】
＜第２変形例＞
図１４に示されるように、本実施形態の第２変形例では、コネクタ１１の端子１６の一対の突部１６ｂが、端子１６の先端面１６ｐから離間している。
【００４８】
＜第３変形例＞
図１５に示されるように、本実施形態の第３変形例では、コネクタ１１の端子１６の一対の突部１６ｂが、端子１６の先端面１６ｐから離間しているとともに、先端面１６ｐが湾曲状（半球状）に形成されている。
【００４９】
＜第４変形例＞
図１６に示されるように、本実施形態の第４変形例では、コネクタ１１の端子１６の一対の突部１６ｂが、端子１６の先端面１６ｐから離間している。そして、一対の突部１６ｂおよび先端面１６ｐが湾曲状（半球状）に形成されている。
【００５０】
本発明の実施形態および変形例を説明したが、これらの実施形態および変形例は、例として提示したものであり、発明の範囲を限定することは意図していない。これら新規な実施形態および変形例は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５１】
以上説明した実施形態および変形例によれば、保持部材１５への端子１６の装着作業の簡易化を図ることができる。
【符号の説明】
【００５２】
１…電子機器、２…第二筐体（筐体）、６…回路基板、１１…コネクタ、１５…保持部材、１５ａ…面（第一面）、１５ｂ…面（第二面）、１５ｃ…亘面（第三面）、１５ｈ…収容部、１５ｉ…挿入口、１５ｊ…開口部、１５ｐ…規制部、１５ｒ…凹部、１５ｓ…抜止部、１６…端子、１６ａ…本体部、１６ｂ…突部、１６ｃ…圧入部、１６ｄ…側面、１６ｅ…接触面、１６ｆ…端部（前端部、先端部）、１６ｈ…第一部分、１６ｉ…第二部分、１６ｊ…第三部分。
【図１】
2014135197.tif 000003
【図２】
2014135197.tif 000004
【図３】
2014135197.tif 000005
【図４】
2014135197.tif 000006
【図５】
2014135197.tif 000007
【図６】
2014135197.tif 000008
【図７】
2014135197.tif 000009
【図８】
2014135197.tif 000010
【図９】
2014135197.tif 000011
【図１０】
2014135197.tif 000012
【図１１】
2014135197.tif 000013
【図１２−１】
2014135197.tif 000014
【図１２−２】
2014135197.tif 000015
【図１２−３】
2014135197.tif 000016
【図１３】
2014135197.tif 000017
【図１４】
2014135197.tif 000018
【図１５】
2014135197.tif 000019
【図１６】
2014135197.tif 000020